(57)【要約】【課題】ワイヤーが断線した場合に、照明器具を保持することができ、さらに、ワイヤーの断線を視覚的に確認できる照明器具用吊具を提供する。【解決手段】照明器具用吊具１０は、ワイヤー１３の上端が断線して第一支え孔３１および第一係合玉部４６の係合が解除されたとき、第三支え孔３２に第三係合玉部４８が係合してワイヤー１３が保持され、また、ワイヤー１３の下端が断線して第二支え孔４１および第二係合玉部４７の係合が解除されたとき、第四支え孔４２に第四係合玉部４９が係合してワイヤー１３が保持されるように構成されている。【選択図】図１
2008235213.tif 000002
【特許請求の範囲】
【請求項１】
家屋の天井などに設けられた吊具本体にワイヤーを介して照明器具を吊り下げる照明器具用吊具において、
前記ワイヤーの上端に設けられ、前記吊具本体の第一支え部に係合して前記ワイヤーを保持する第一係合部と、
前記ワイヤーの下端に設けられ、前記照明器具の第二支え部に係合して前記ワイヤーを保持する第二係合部と、
前記吊具本体の前記第一支え部下方に設けられた第三支え部と、
前記ワイヤーの上端側に設けられ、前記ワイヤーの上端が断線して前記第一支え部および前記第一係合部の係合が解除されたとき、前記第三支え部に係合して前記ワイヤーを保持する第三係合部と、
前記照明器具の前記第二支え部上方に設けられた第四支え部と、
前記ワイヤーの下端側に設けられ、前記ワイヤーの下端が断線して前記第二支え部および前記第二係合部の係合が解除されたとき、前記第四支え部に係合して前記ワイヤーを保持する第四係合部と、
を備えたことを特徴とする照明器具用吊具。
【請求項２】
家屋の天井などに設けられた吊具本体にワイヤーを介して照明器具を吊り下げる照明器具用吊具において、
前記ワイヤーの上端に設けられた第一環状部と、
前記第一環状部の途中に設けられ、前記吊具本体の第一支え部に係合して前記ワイヤーを保持する第一係合部と、
前記ワイヤーの下端に設けられた第二環状部と、
前記第二環状部の途中に設けられ、前記照明器具の第二支え部に係合して前記ワイヤーを保持する第二係合部と、
前記吊具本体に設けられ、前記第一環状部が断線して前記第一支え部および前記第一係合部の係合が解除されたとき、前記第一係合部が係合して前記ワイヤーを保持する第三支え部と、
前記照明器具に設けられ、前記第二環状部が断線して前記第二支え部および前記第二係合部の係合が解除されたとき、前記第二係合部が係合して前記ワイヤーを保持する第四支え部と、
を備えたことを特徴とする照明器具用吊具。
【請求項３】
家屋の天井などに設けられた吊具本体にワイヤーを介して照明器具を吊り下げる照明器具用吊具において、
前記ワイヤーの上端に上側締結部材で設けられた第一環状部と、
前記第一環状部の途中に設けられ、前記吊具本体の第一支え部に係合して前記ワイヤーを保持する第一係合部と、
前記ワイヤーの下端に下側締結部材で設けられた第二環状部と、
前記第二環状部の途中に設けられ、前記照明器具の第二支え部に係合して前記ワイヤーを保持する第二係合部と、
前記吊具本体に設けられ、前記第一環状部が断線して前記第一支え部および前記第一係合部の係合が解除されたとき、前記第一係合部が係合して前記ワイヤーを保持する第三支え部と、
前記吊具本体に設けられ、前記第三支え部に前記第一係合部が係合したとき、下方に移動した前記上側締結部材によって前記吊具本体から外される吊具本体用蓋部と、
前記照明器具に設けられ、前記第二環状部が断線して前記第二支え部および前記第二係合部の係合が解除されたとき、前記第二係合部が係合して前記ワイヤーを保持する第四支え部と、
前記照明器具に設けられ、前記第四支え部に前記第二係合部が係合したとき、上方に移動した前記下側締結部材によって前記照明器具から外される照明器具用蓋部と、
を備えたことを特徴とする照明器具用吊具。
【請求項４】
家屋の天井などに設けられた吊具本体にワイヤーを介して照明器具を吊り下げる照明器具用吊具において、
前記ワイヤーの上端に設けられ、前記吊具本体の第一支え部に係合して前記ワイヤーを保持する第一係合部と、
前記ワイヤーの下端に設けられ、前記照明器具の第二支え部に係合して前記ワイヤーを保持する第二係合部と、
前記吊具本体に設けられた弾性変形可能な第三支え部と、
前記ワイヤーの上端側に設けられ、前記ワイヤーの上端が断線して前記第一支え部および前記第一係合部の係合が解除されたとき、前記第三支え部に係合して前記ワイヤーを保持するとともに前記第三支え部を前記吊具本体の下方に弾性変形させる第三係合部と、
前記照明器具に設けられた弾性変形可能な第四支え部と、
前記ワイヤーの下端側に設けられ、前記ワイヤーの下端が断線して前記第二支え部および前記第二係合部の係合が解除されたとき、前記第四支え部に係合して前記ワイヤーを保持するとともに前記第四支え部を前記照明器具の上方に弾性変形させる第四係合部と、
を備えたことを特徴とする照明器具用吊具。
【発明の詳細な説明】
【技術分野】
【０００１】
本発明は、家屋の天井などに設けられた吊具本体にワイヤーを介して照明器具を吊り下げる照明器具用吊具に関する。
【背景技術】
【０００２】
図１６〜図１７に示す照明器具用吊具２００は、吊具本体２０１に収納されているアジャスタ２０２により吊下げ高さを調整できるタイプのものである。
このアジャスタ２０２は、ワイヤー２０３を上方へ自由に押し上げることが可能で、ワイヤー２０３の下方への引き出しを解除ボタン（図示せず）を押すことで可能とするものである。
このアジャスタ２０２は、通常時には、内部に備えた把持部材（図示せず）でワイヤー２０３を側方から押さえ付けることで照明器具２０５の重量を支えている。
【０００３】
さらに、照明器具用吊具２００は、ワイヤー２０３のうち、吊具本体２０１側の端部に玉部２０６が設けられ、玉部２０６でワイヤー２０３がアジャスタ２０２の把持部材から抜け落ちることを防止している。
【０００４】
また、ワイヤー２０３のうち、照明器具２０５側の端部に玉部２０８および玉部２０９が設けられ、玉部２０８がワイヤー２０３から外れた場合でも、玉部２０８で照明器具２０５の重量を支えるようにしている（例えば、特許文献１参照）。
【特許文献１】特開２００４−５５３０５号公報
【発明の開示】
【発明が解決しようとする課題】
【０００５】
しかし、アジャスタ２０２の内部では、アジャスタ２０２の把持部材でワイヤー２０３を側方から押さえ付けているため、誤って大きな衝撃が加えられた場合など、まれにワイヤー２０３に断線が発生することが考えられる。
【０００６】
万一、ワイヤー２０３が断線しかけた場合でも、その状態を外部から視覚的に確認することができない。
このため、そのまま継続して使用されてワイヤー２０３が断線してしまうことが懸念される。この場合、照明器具用吊具２００で照明器具２０５を保持することが難しい。
また、照明器具２０５側でも、玉部２０８の直上部でワイヤー２０３が断線した場合など、照明器具用吊具２００で照明器具２０５を保持することが難しい。
【０００７】
図１８の照明器具用吊具２１０は、図１７に示すアジャスタ２０３を除去したものである。
この照明器具用吊具２１０も、玉部２０６や玉部２０８の根元でワイヤー２０３が断線した場合に、照明器具用吊具２１０で照明器具２０５を保持することが難しい。
【０００８】
本発明は、前述した要望を満たすためになされたものであり、その目的は、ワイヤーが断線した場合に、照明器具を保持することができ、さらに、ワイヤーの断線を視覚的に確認できる照明器具用吊具を提供することにある。
【課題を解決するための手段】
【０００９】
本発明の照明器具用吊具は、家屋の天井などに設けられた吊具本体にワイヤーを介して照明器具を吊り下げる照明器具用吊具において、前記ワイヤーの上端に設けられ、前記吊具本体の第一支え部に係合して前記ワイヤーを保持する第一係合部と、前記ワイヤーの下端に設けられ、前記照明器具の第二支え部に係合して前記ワイヤーを保持する第二係合部と、前記吊具本体の前記第一支え部下方に設けられた第三支え部と、前記ワイヤーの上端側に設けられ、前記ワイヤーの上端が断線して前記第一支え部および前記第一係合部の係合が解除されたとき、前記第三支え部に係合して前記ワイヤーを保持する第三係合部と、前記照明器具の前記第二支え部上方に設けられた第四支え部と、前記ワイヤーの下端側に設けられ、前記ワイヤーの下端が断線して前記第二支え部および前記第二係合部の係合が解除されたとき、前記第四支え部に係合して前記ワイヤーを保持する第四係合部と、を備えたことを特徴とする。
【００１０】
ワイヤーの上端が断線して第一支え部および第一係合部の係合が解除されたとき、第三係合部を第三支え部に係合させてワイヤーを保持できる。
また、ワイヤーの下端が断線して第二支え部および第二係合部の係合が解除されたとき、第四係合部を第四支え部に係合させてワイヤーを保持できる。
これにより、ワイヤーが断線した場合でも、ワイヤーを介して吊具本体に照明器具を吊り下げた状態を保つことができる。
【００１１】
また、本発明は、家屋の天井などに設けられた吊具本体にワイヤーを介して照明器具を吊り下げる照明器具用吊具において、前記ワイヤーの上端に設けられた第一環状部と、前記第一環状部の途中に設けられ、前記吊具本体の第一支え部に係合して前記ワイヤーを保持する第一係合部と、前記ワイヤーの下端に設けられた第二環状部と、前記第二環状部の途中に設けられ、前記照明器具の第二支え部に係合して前記ワイヤーを保持する第二係合部と、前記吊具本体に設けられ、前記第一環状部が断線して前記第一支え部および前記第一係合部の係合が解除されたとき、前記第一係合部が係合して前記ワイヤーを保持する第三支え部と、前記照明器具に設けられ、前記第二環状部が断線して前記第二支え部および前記第二係合部の係合が解除されたとき、前記第二係合部が係合して前記ワイヤーを保持する第四支え部と、を備えたことを特徴とする。
【００１２】
第一環状部が断線して第一支え部および第一係合部の係合が解除されたとき、第一係合部が第三支え部に係合してワイヤーを保持できる。
また、第二環状部が断線して第二支え部および第二係合部の係合が解除されたとき、第二係合部が第四支え部に係合してワイヤーを保持できる。
これにより、ワイヤーが断線した場合でも、ワイヤーを介して吊具本体に照明器具を吊り下げた状態を保つことができる。
【００１３】
さらに、本発明は、家屋の天井などに設けられた吊具本体にワイヤーを介して照明器具を吊り下げる照明器具用吊具において、前記ワイヤーの上端に上側締結部材で設けられた第一環状部と、前記第一環状部の途中に設けられ、前記吊具本体の第一支え部に係合して前記ワイヤーを保持する第一係合部と、前記ワイヤーの下端に下側締結部材で設けられた第二環状部と、前記第二環状部の途中に設けられ、前記照明器具の第二支え部に係合して前記ワイヤーを保持する第二係合部と、前記吊具本体に設けられ、前記第一環状部が断線して前記第一支え部および前記第一係合部の係合が解除されたとき、前記第一係合部が係合して前記ワイヤーを保持する第三支え部と、前記吊具本体に設けられ、前記第三支え部に前記第一係合部が係合したとき、下方に移動した前記上側締結部材によって前記吊具本体から外される吊具本体用蓋部と、前記照明器具に設けられ、前記第二環状部が断線して前記第二支え部および前記第二係合部の係合が解除されたとき、前記第二係合部が係合して前記ワイヤーを保持する第四支え部と、前記照明器具に設けられ、前記第四支え部に前記第二係合部が係合したとき、上方に移動した前記下側締結部材によって前記照明器具から外される照明器具用蓋部と、を備えたことを特徴とする。
【００１４】
第一環状部が断線して第一支え部および第一係合部の係合が解除されたとき、第一係合部が第三支え部に係合してワイヤーを保持できる。
また、第二環状部が断線して第二支え部および第二係合部の係合が解除されたとき、第二係合部が第四支え部に係合してワイヤーを保持できる。
これにより、ワイヤーが断線した場合でも、ワイヤーを介して吊具本体に照明器具を吊り下げた状態を保つことができる。
【００１５】
ここで、第三支え部に第一係合部が係合したとき、下方に移動した上側締結部材によって吊具本体から吊具本体用蓋部が外される。
また、第四支え部に第二係合部が係合したとき、上方に移動した下側締結部材によって照明器具から照明器具用蓋部が外される。
これにより、ワイヤーが断線した場合に、吊具本体から外された吊具本体用蓋部や、照明器具から外された照明器具用蓋部を目視することで、ワイヤーの断線を視覚的に確認できる。
【００１６】
また、本発明は、家屋の天井などに設けられた吊具本体にワイヤーを介して照明器具を吊り下げる照明器具用吊具において、前記ワイヤーの上端に設けられ、前記吊具本体の第一支え部に係合して前記ワイヤーを保持する第一係合部と、前記ワイヤーの下端に設けられ、前記照明器具の第二支え部に係合して前記ワイヤーを保持する第二係合部と、前記吊具本体に設けられた弾性変形可能な第三支え部と、前記ワイヤーの上端側に設けられ、前記ワイヤーの上端が断線して前記第一支え部および前記第一係合部の係合が解除されたとき、前記第三支え部に係合して前記ワイヤーを保持するとともに前記第三支え部を前記吊具本体の下方に弾性変形させる第三係合部と、前記照明器具に設けられた弾性変形可能な第四支え部と、前記ワイヤーの下端側に設けられ、前記ワイヤーの下端が断線して前記第二支え部および前記第二係合部の係合が解除されたとき、前記第四支え部に係合して前記ワイヤーを保持するとともに前記第四支え部を前記照明器具の上方に弾性変形させる第四係合部と、を備えたことを特徴とする。
【００１７】
ワイヤーの上端が断線して第一支え部および第一係合部の係合が解除されたとき、第三係合部が第三支え部に係合してワイヤーを保持するとともに、第三支え部を吊具本体の下方に弾性変形させる。
また、ワイヤーの下端が断線して第二支え部および第二係合部の係合が解除されたとき、第四係合部が第四支え部に係合してワイヤーを保持するとともに、第四支え部を照明器具の上方に弾性変形させる。
これにより、ワイヤーが断線した場合でも、ワイヤーを介して吊具本体に照明器具を吊り下げた状態を保つことができる。
加えて、ワイヤーが断線した場合に、弾性変形した第三支え部や第四支え部を目視することで、ワイヤーの断線を視覚的に確認できる。
【発明の効果】
【００１８】
本発明の照明器具用吊具によれば、ワイヤーが断線した場合に、照明器具を保持することができ、さらに、ワイヤーの断線を視覚的に確認できるという効果を有する。
【発明を実施するための最良の形態】
【００１９】
（第１実施形態）
以下、本発明の実施の形態に係る照明器具用吊具について、図面を参照して説明する。
図１に示すように、第１実施形態の照明器具用吊具１０は、家屋の天井１１に吊具本体１２が設けられ、吊具本体１２にワイヤー１３を介して照明器具１４を吊り下げたものである。
【００２０】
吊具本体１２は、天井１１に取り付けられたケーシング１６と、ケーシング１６内にリベット１７で固定されたベース１８と、ベース１８に爪部１９やボルト２１で取り付けられた吊具側支持部材２２と、ケーシング１６のブラケット２４，２５にボルト２６で取り付けられた蓋部２８とを備える。
吊具側支持部材２２の水平部に第一支え孔（第一支え部）３１が形成されている。
蓋部２８に第三支え孔（第三支え部）３２が形成されている。第三支え孔３２は、第一支え孔３１の下方に設けられている。
【００２１】
照明器具１４は、図示しない照明部を支える照明器具本体３５と、照明器具本体３５の天井部３６にボルト３７で照明側支持部材３８とを備える。
照明側支持部材３８の水平部に第二支え孔（第二支え部）４１が形成されている。
天井部３６に第四支え孔（第四支え部）４２形成されている。第四支え孔４２は、第二支え孔４１の上方に設けられている。
【００２２】
ワイヤー１３は、吊具本体１２から照明器具１４まで延出されたワイヤー本体４５と、ワイヤー本体４５の上端４５Ａに設けられた第一係合玉部（第一係合部）４６と、ワイヤー本体４５の下端４５Ｂに設けられた第二係合玉部（第二係合部）４７と、ワイヤー本体４５の上端４５Ａ側に設けられた第三係合玉部（第三係合部）４８と、ワイヤー本体４５の下端４５Ｂ側に設けられた第四係合玉部（第四係合部）４９とを備えている。
【００２３】
ワイヤー本体４５は、上端４５Ａ側で、かつ第三係合玉部４８と蓋部２８との間の部位に吊具側報知部５１が設けられ、下端４５Ｂ側で、かつ第四係合玉部４９と天井部３６との間の部位に照明器具側報知部５２が設けられている。
【００２４】
第一係合玉部４６は、ワイヤー本体４５の上端４５Ａに設けられ、第一支え孔３１に係合してワイヤー本体４５を保持する部材である。
第二係合玉部４７は、ワイヤー本体４５の下端４５Ｂに設けられ、第二支え孔４１に係合して照明器具１４を保持する部材である。
【００２５】
第三係合玉部４８は、ワイヤー本体４５の上端４５Ａ側に設けられ、ワイヤー本体４５の上端４５Ａが断線して第一支え孔３１および第一係合玉部４６の係合が解除されたとき、第三支え孔３２に係合してワイヤー本体４５を保持する部材である。
【００２６】
第四係合玉部４９は、ワイヤー本体４５の下端４５Ｂ側に設けられ、ワイヤー本体４５の下端４５Ｂが断線して第二支え孔４１および第二係合玉部４７の係合が解除されたとき、第四支え孔４２に係合してワイヤー本体４５を保持する部材である。
【００２７】
つぎに、照明器具用吊具１０のワイヤー本体４５が断線した場合の例を図２〜図３に基づいて説明する。
図２に示すように、ワイヤー本体４５の上端４５Ａ（具体的には、第一係合玉部４６および第三係合玉部４８間の部位）が断線する。
第一支え孔３１および第一係合玉部４６の係合が解除され、ワイヤー本体４５が照明器具１４の重量で下方に引き下げられる。
【００２８】
ワイヤー本体４５とともに第三係合玉部４８が下方に移動して第三支え孔３２に当接する。
第三係合玉部４８を第三支え孔３２で支えて、ワイヤー本体４５を断線前の位置からＨ１寸法だけ下方に引き下げられた状態で保持する。
これにより、ワイヤー本体４５が断線した場合でも、ワイヤー本体４５を介して吊具本体１２に照明器具１４を吊り下げた状態を保つことができる。
【００２９】
ワイヤー本体４５が断線前の位置からＨ１寸法だけ下方に引き下げられることで、吊具側報知部５１が吊具本体１２から下方に露出する。
これにより、ワイヤー本体４５が断線した場合に、吊具本体１２から露出した吊具側報知部５１を目視することで、ワイヤー本体４５の断線を視覚的に確認できる。
【００３０】
図３に示すように、ワイヤー本体４５の下端４５Ｂ（具体的には、第二係合玉部４７および第四係合玉部４９間の部位）が断線する。
第二支え孔４１および第二係合玉部４７の係合が解除され、照明器具１４が自重で下降する。
【００３１】
第四支え孔４２が第四係合玉部４９に当接する。
第四支え孔を第四係合玉部で支えて、照明器具１４が断線前の位置からＨ２寸法だけ下降した状態で保持する。
これにより、ワイヤー本体４５が断線した場合でも、ワイヤー本体４５を介して吊具本体１２に照明器具１４を吊り下げた状態を保つことができる。
【００３２】
照明器具１４が断線前の位置からＨ２寸法だけ下降することで、照明器具側報知部５２が照明器具本体３５から上方に露出する。
これにより、ワイヤー本体４５が断線した場合に、照明器具本体３５から露出した照明器具側報知部５２を目視することで、ワイヤー本体４５の断線を視覚的に確認できる。
【００３３】
以下、第２〜第５の実施形態を図４〜図１５に基づいて説明する。なお、第２〜第５の実施形態において、第１実施形態の照明器具用吊具１０の構成部材と同一類似部材については同じ符号を付して説明を省略する。
【００３４】
（第２実施形態）
図４に示す第２実施形態の照明器具用吊具６０は、第１実施形態の吊具本体１２を吊具本体６１に代え、またワイヤー１３をワイヤー６２に代え、さらに照明器具１４を照明器具６３に代えたもので、その他の構成は第１実施形態の照明器具用吊具１０と同じである。
【００３５】
ワイヤー６２は、吊具本体６１から照明器具６３まで延出されたワイヤー本体６５と、ワイヤー本体６５の上端６５Ａ側に設けられた第一環状部６６と、第一環状部６６に設けられた第一係合玉部４６と、ワイヤー本体６５の下端６５Ｂ側に設けられた第二環状部６８と、第二環状部６８に設けられた第二係合玉部４７とを備えている。
【００３６】
第一環状部６６は、ワイヤー本体６５の上端６５Ａを上端６５Ａ寄りの部位６５Ｃに上側締結部材７１で取り付けることでループ状に形成された部位である。
第二環状部６８は、ワイヤー本体６５の下端６５Ｂを下端６５Ｂ寄りの部位６５Ｄに下側締結部材７２で取り付けることでループ状に形成された部位である。
【００３７】
第一係合玉部４６は、第一環状部６６の途中（具体的には、上側締結部材７１近傍の部位）に設けられ、吊具本体６１の第一支え孔３１に係合してワイヤー本体６５を保持する部材である。
第二係合玉部４７は、第二環状部６８の途中（具体的には、下側締結部材７２近傍の部位）に設けられ、照明器具６３の第二支え孔４１に係合して照明器具６３を保持する部材である。
【００３８】
吊具本体６１は、第三支え孔（第三支え部）７３が吊具側支持部材２２の水平部に設けられた点が第１実施形態の吊具本体１２と異なるもので、その他の構成は第１実施形態の吊具本体１２と同じである。
【００３９】
第三支え孔７３は、吊具本体６１に設けられ、第一環状部６６が断線して第一支え孔３１および第一係合玉部４６の係合が解除されたとき、第一係合玉部４６が係合してワイヤー本体６５を保持する部材である。
【００４０】
照明器具６３は、第四支え孔（第四支え部）７４が照明側支持部材３８の水平部に設けられた点が第１実施形態の照明器具１４と異なるもので、その他の構成は第１実施形態の照明器具１４と同じである。
【００４１】
第四支え孔７４は、照明器具６３に設けられ、第二環状部６８が断線して第二支え孔４１および第二係合玉部４７の係合が解除されたとき、第二係合玉部４７が係合して照明器具６３を保持する部材である。
【００４２】
つぎに、照明器具用吊具６０のワイヤー本体６５が断線した場合の例を図５〜図６に基づいて説明する。
図５に示すように、第一環状部６６（具体的には、第一係合玉部４６および上側締結部材７１間の部位）が断線する。
第一支え孔３１および第一係合玉部４６の係合が解除され、ワイヤー本体６５とともに第一環状部６６が照明器具６３の重量で下方に引き下げられる。
【００４３】
第一環状部６６とともに第一係合玉部４６が下方に移動して第三支え孔７３に当接する。
第一係合玉部４６を第三支え孔７３で支えて、上側締結部材７１を断線前の位置からＨ３寸法だけ下方に引き下げられた状態で保持する。
これにより、第一環状部６６が断線した場合でも、ワイヤー本体６５を介して吊具本体６１に照明器具６３を吊り下げた状態を保つことができる。
【００４４】
ここで、照明器具６３は、２個の吊具本体６１から垂下された各ワイヤー６２で吊り下げられている。
よって、一方のワイヤー６２のワイヤー本体６５が断線前の位置からＨ３寸法だけ下方に引き下げられることで、照明器具６３が傾いた状態になる。
これにより、第一環状部６６が断線した場合に、照明器具６３が傾いた状態を目視することで、第一環状部６６の断線を視覚的に確認できる。
【００４５】
図６に示すように、第二環状部６８（具体的には、第二係合玉部４７および下側締結部材７２間の部位）が断線する。
第二支え孔４１および第二係合玉部４７の係合が解除され、照明器具６３が自重で下降する。
【００４６】
第四支え孔７４が第二係合玉部４７に当接する。
第四支え孔７４を第二係合玉部４７で支えて、照明器具６３が断線前の位置からＨ４寸法だけ下降した状態で保持される。
これにより、第二環状部６８が断線した場合でも、ワイヤー本体６５を介して吊具本体６１に照明器具６３を吊り下げた状態を保つことができる。
【００４７】
ここで、照明器具６３は、前述したように、２個の吊具本体６１から垂下された各ワイヤー６２で吊り下げられている。
よって、一方のワイヤー６２のワイヤー本体６５が断線して、照明器具６３の片側が自重で下降することで、照明器具６３が傾いた状態になる。
これにより、第二環状部６８が断線した場合に、照明器具６３が傾いた状態を目視することで、第二環状部６８の断線を視覚的に確認できる。
【００４８】
（第３実施形態）
図７に示す第３実施形態の照明器具用吊具８０は、第２実施形態の蓋部２８を吊具本体用蓋部８２（報知部材）に代え、さらに第２実施形態の照明器具６３に照明器具蓋部８４（報知部材）を加えたもので、その他の構成は第２実施形態の照明器具用吊具６０と同じである。
【００４９】
吊具本体用蓋部８２は、ばね部材８５を介してケーシング１６に着脱自在に取り付けられている。
照明器具蓋部８４は、照明器具６３の天井部３６にばね部材（図示せず）を用いて着脱自在に取り付けられている。
【００５０】
つぎに、照明器具用吊具８０のワイヤー本体６５が断線した場合の例を図８〜図９に基づいて説明する。
図８に示すように、第一環状部６６（具体的には、第一係合玉部４６近傍の部位６６Ａ）が断線する。
第一支え孔３１および第一係合玉部４６の係合が解除され、ワイヤー本体６５とともに第一環状部６６が照明器具６３の重量で下方に引き下げられる。
【００５１】
第一環状部６６とともに第一係合玉部４６が下方に移動して第三支え孔７３に当接する。
第一係合玉部４６を第三支え孔７３で支えて、上側締結部材７１を断線前の位置からＨ５寸法だけ下方に引き下げられた状態で保持する。
これにより、第一環状部６６が断線した場合でも、ワイヤー本体６５を介して吊具本体６１に照明器具６３を吊り下げた状態を保つことができる。
【００５２】
ここで、ワイヤー本体６５が断線前の位置からＨ５寸法だけ下方に引き下げられることで、上側締結部材７１が吊具本体用蓋部８２に当たって下方に押し下げる。吊具本体用蓋部８２が下方に押し下げられることでばね部材８５が弾性変形する。
ばね部材８５が弾性変形することで、ばね部材８５がケーシング１６から外れ、吊具本体用蓋部８２が照明器具６３の照明器具蓋部８４に落下する。
これにより、第一環状部６６が断線した場合に、落下した吊具本体用蓋部８２を目視することで、第一環状部６６の断線を視覚的に確認できる。
【００５３】
図９に示すように、第二環状部６８（具体的には、第二係合玉部４７近傍の部位６８Ａ）が断線する。
第二支え孔４１および第二係合玉部４７の係合が解除され、照明器具６３が自重で下降する。
【００５４】
第四支え孔７４が第二係合玉部４７に当接する。
第四支え孔７４を第二係合玉部４７で支えて、照明器具６３が断線前の位置からＨ６寸法だけ下降した状態で保持する。
これにより、第二環状部６８が断線した場合でも、ワイヤー本体６５を介して吊具本体６１に照明器具６３を吊り下げた状態を保つことができる。
【００５５】
照明器具６３が自重で下方にＨ６寸法だけ下降することで、照明器具蓋部８４に下側締結部材７２が当接する。照明器具蓋部８４は下側締結部材７２によって下降することが阻止され、照明器具６３から外れる。
これにより、第二環状部６８が断線した場合に、照明器具６３から外れた照明器具蓋部８４を目視することで、第二環状部６８の断線を視覚的に確認できる。
【００５６】
（第４実施形態）
図１０に示す第４実施形態の照明器具用吊具９０は、第２実施形態の吊具本体６１を吊具本体９１に代え、またワイヤー６２をワイヤー９２に代え、さらに照明器具６３を照明器具９３に代えたもので、その他の構成は第２実施形態の照明器具用吊具６０と同じである。
【００５７】
ワイヤー９２は、吊具本体９１から照明器具９３まで延出されたワイヤー本体９５と、ワイヤー本体９５の上端９５Ａ側に設けられた第一環状部６６と、第一環状部６６に設けられた第一係合玉部４６と、ワイヤー本体９５の下端９５Ｂに設けられた第二係合玉部４７と、ワイヤー本体９５の下端９５Ｂ側に設けられた第四係合玉部４９とを備えている。
【００５８】
吊具本体９１は、ベース１８に爪部１９やボルト２１で吊具側支持部材９６が取り付けられ、吊具側支持部材９６に断面略コ字状の吊具側弾性部材（報知部材）９７が取り付けられ、吊具側弾性部材９７の下水平部９７Ａにボルト２６で蓋部２８が取り付けられ、吊具側弾性部材９７の下水平部９７Ａの略中央に第三支え孔（第三支え部）９８が設けられ、その他の構成は第２実施形態の吊具本体６１と同じである。
【００５９】
第三支え孔９８は、吊具側弾性部材９７の下水平部９７Ａに設けられることで、上下方向に弾性移動可能な孔である。
第三支え孔７３は、第一環状部６６が断線して第一支え孔３１および第一係合玉部４６の係合が解除されたとき、上側締結部材７１が係合してワイヤー本体９５を保持するとともに吊具本体９１の下方に弾性変位可能な部材である。
【００６０】
照明器具９３は、天井部３６に照明弾性部材（報知部材）１０１が載置された状態で右端部１０１Ａがボルト１０２で取り付けられ、照明弾性部材１０１の左端部１０１Ｂに第四支え孔（第四支え部）１０３が設けられたもので、その他の構成は第１実施形態の照明器具１４と同じである。
【００６１】
第四支え孔１０３は、照明弾性部材１０１に設けられることで、上下方向に弾性移動可能な孔である。
第四支え孔１０３は、ワイヤー本体９５の下端９５Ｂが断線して第二支え孔４１および第二係合玉部４７の係合が解除されたとき、第四係合玉部４９に係合して照明器具９３を保持するとともに照明器具９３の上方に弾性変位可能な部材である。
【００６２】
つぎに、照明器具用吊具９０のワイヤー本体９５が断線した場合の例を図１１〜図１２に基づいて説明する。
図１１に示すように、第一環状部６６（具体的には、第一係合玉部４６近傍の部位６６Ａ）が断線する。
第一支え孔３１および第一係合玉部４６の係合が解除され、ワイヤー本体９５とともに第一環状部６６が照明器具９３の重量で下方に引き下げられる。
【００６３】
第一環状部６６とともに上側締結部材７１が下方に移動して、上側締結部材７１が第三支え孔９８に当接する。
上側締結部材７１を第三支え孔９８で支えて、上側締結部材７１を断線前の位置からＨ７寸法だけ下方に引き下げられた状態で保持する。
これにより、第一環状部６６が断線した場合でも、ワイヤー本体９５を介して吊具本体９１に照明器具９３を吊り下げた状態を保つことができる。
【００６４】
上側締結部材７１を断線前の位置からＨ７寸法だけ下方に引き下げられた状態で保持するとともに、吊具側弾性部材９７を下方に弾性変形させることで、第三支え孔９８を吊具本体９１の下方に弾性変位させる。
【００６５】
よって、弾性変形した吊具側弾性部材９７とともに蓋部２８が吊具本体９１の下方に移動する。
これにより、ワイヤー本体９５が断線した場合に、吊具本体９１の下方に移動した蓋部２８を目視することで、ワイヤー本体９５の断線を視覚的に確認できる。
【００６６】
図１２に示すように、ワイヤー本体９５の下端９５Ｂ（具体的には、第二係合玉部４７および第四係合玉部４９間の部位）が断線する。
第二支え孔４１および第二係合玉部４７の係合が解除され、照明器具９３が自重で下降する。
【００６７】
第四支え孔１０３が第四係合玉部４９に当接する。
第四支え孔１０３を第四係合玉部４９で支えて、照明器具９３が断線前の位置からＨ８寸法だけ下降した状態で保持する。
これにより、ワイヤー本体９５が断線した場合でも、ワイヤー本体９５を介して吊具本体９１に照明器具９３を吊り下げた状態を保つことができる。
【００６８】
照明器具９３が断線前の位置からＨ８寸法だけ下降した状態で保持するとともに、照明弾性部材１０１を上方に弾性変形させることで、第四支え孔１０３を照明器具９３の上方に弾性変位させる。
これにより、ワイヤー本体９５が断線した場合に、照明器具９３の上方に弾性変形した照明弾性部材１０１を目視することで、ワイヤー本体９５の断線を視覚的に確認できる。
【００６９】
（第５実施形態）
図１３に示す第５実施形態の照明器具用吊具１１０は、第４実施形態のワイヤー９２をワイヤー１１２に代えたもので、その他の構成は第４実施形態の照明器具用吊具９０と同じである。
【００７０】
ワイヤー１１２は、吊具本体９１から照明器具９３まで延出されたワイヤー本体１１３と、ワイヤー本体１１３の上端１１３Ａに設けられた第一係合玉部４６と、ワイヤー本体１１３の上端１１３Ｂ側に設けられた第三係合部４８と、ワイヤー本体１１３の下端１１３Ｂに設けられた第二係合玉部４７と、ワイヤー本体１１３の下端１１３Ｂ側に設けられた第四係合玉部４９とを備えている。
【００７１】
つぎに、照明器具用吊具１１０のワイヤー本体９５が断線した場合の例を図１４〜図１５に基づいて説明する。
図１４に示すように、ワイヤー本体１１３の上端１１３Ａ（具体的には、第一係合玉部４６および第三係合玉部４８間の部位）が断線する。
第一支え孔３１および第一係合玉部４６の係合が解除され、ワイヤー本体１１３が照明器具９３の重量で下方に引き下げられる。
【００７２】
ワイヤー本体１１３とともに第三係合部４８が下方に移動して第三支え孔９８に当接する。
第三係合部４８を第三支え孔９８で支えて、第三係合部４８を断線前の位置からＨ９寸法だけ下方に引き下げられた状態で保持する。
これにより、ワイヤー本体１１３が断線した場合でも、ワイヤー本体１１３を介して吊具本体９１に照明器具９３を吊り下げた状態を保つことができる。
【００７３】
第三係合部４８を断線前の位置からＨ９寸法だけ下方に引き下げられた状態で保持するとともに、吊具側弾性部材９７を下方に弾性変形させることで、第三支え孔９８を吊具本体９１の下方に弾性変位させる。
【００７４】
よって、弾性変形した吊具側弾性部材９７とともに蓋部２８が吊具本体９１の下方に移動する。
これにより、ワイヤー本体１１３が断線した場合に、吊具本体９１の下方に移動した蓋部２８を目視することで、ワイヤー本体１１３の断線を視覚的に確認できる。
【００７５】
図１５に示すように、ワイヤー本体１１３の下端１１３Ｂ（具体的には、第二係合玉部４７および第四係合玉部４９間の部位）が断線する。
第二支え孔４１および第二係合玉部４７の係合が解除され、照明器具９３が自重で下降する。
【００７６】
第四支え孔１０３が第四係合玉部４９に当接する。
第四支え孔１０３を第四係合玉部４９で支えて、照明器具９３が断線前の位置からＨ８寸法だけ下降した状態で保持する。
これにより、ワイヤー本体１１３が断線した場合でも、ワイヤー本体１１３を介して吊具本体９１に照明器具９３を吊り下げた状態を保つことができる。
【００７７】
照明器具９３が断線前の位置からＨ８寸法だけ下降した状態で保持するとともに、照明弾性部材１０１を上方に弾性変形させることで、第四支え孔１０３を照明器具９３の上方に弾性変位させる。
これにより、ワイヤー本体１１３が断線した場合に、照明器具９３の上方に弾性変形した照明弾性部材１０１を目視することで、ワイヤー本体１１３の断線を視覚的に確認できる。
【００７８】
なお、前記第１〜第５実施形態で例示した吊具本体１２，６１，９１、照明器具１４，６３，９３  照明器具の形状や寸法は適宜変更が可能である。
【産業上の利用可能性】
【００７９】
本発明は、吊具本体にワイヤーを介して照明器具を吊り下げる照明器具用吊具への適用に好適である。
【図面の簡単な説明】
【００８０】
【図１】本発明に係る第１実施形態の照明器具用吊具を示す断面図である。
【図２】第１実施形態の吊具本体側のワイヤーが断線した状態を示す断面図である。
【図３】第１実施形態の照明器具側のワイヤーが断線した状態を示す断面図である。
【図４】本発明に係る第２実施形態の照明器具用吊具を示す断面図である。
【図５】第２実施形態の吊具本体側のワイヤーが断線した状態を示す断面図である。
【図６】第２実施形態の照明器具側のワイヤーが断線した状態を示す断面図である。
【図７】本発明に係る第３実施形態の照明器具用吊具を示す断面図である。
【図８】第３実施形態の吊具本体側のワイヤーが断線した状態を示す断面図である。
【図９】第３実施形態の照明器具側のワイヤーが断線した状態を示す断面図である。
【図１０】本発明に係る第４実施形態の照明器具用吊具を示す断面図である。
【図１１】第４実施形態の吊具本体側のワイヤーが断線した状態を示す断面図である。
【図１２】第４実施形態の照明器具側のワイヤーが断線した状態を示す断面図である。
【図１３】本発明に係る第５実施形態の照明器具用吊具を示す断面図である。
【図１４】第５実施形態の吊具本体側のワイヤーが断線した状態を示す断面図である。
【図１５】第５実施形態の照明器具側のワイヤーが断線した状態を示す断面図である。
【図１６】従来の照明器具用吊具を示す斜視図である。
【図１７】従来の照明器具用吊具を示す斜視図である。
【図１８】従来のもう一つの照明器具用吊具を示す斜視図である。
【符号の説明】
【００８１】
１０，６０，８０，９０，１１０  照明器具用吊具
１１  天井
１２，６１，９１  吊具本体
１３，６２，９２，１１２  ワイヤー
１４，６３，９３  照明器具
３１  第一支え孔（第一支え部）
３２，７３  第三支え孔（第三支え部）
４１  第二支え孔（第二支え部）
４２，７４  第四支え孔（第四支え部）
４６  第一係合玉部（第一係合部）
４７  第二係合玉部（第二係合部）
４８，９８  第三係合玉部（第三係合部）
４９，１０３  第四係合玉部（第四係合部）
７１  上側締結部材
７２  下側締結部材
【図１】
2008235213.tif 000003
【図２】
2008235213.tif 000004
【図３】
2008235213.tif 000005
【図４】
2008235213.tif 000006
【図５】
2008235213.tif 000007
【図６】
2008235213.tif 000008
【図７】
2008235213.tif 000009
【図８】
2008235213.tif 000010
【図９】
2008235213.tif 000011
【図１０】
2008235213.tif 000012
【図１１】
2008235213.tif 000013
【図１２】
2008235213.tif 000014
【図１３】
2008235213.tif 000015
【図１４】
2008235213.tif 000016
【図１５】
2008235213.tif 000017
【図１６】
2008235213.tif 000018
【図１７】
2008235213.tif 000019
【図１８】
2008235213.tif 000020